(57)【要約】【課題】  搬送箱の高さを低く設定して、搬送車として小型車を利用でき、また積み重ねを可能として納品・回収効率を上げると共に、洗濯済の衣類の出し入れの際に利用者に負担をかけることのない洗濯物の納品・回収用搬送箱を提供する。【解決手段】  筐体１の上面に設けた上面側開口２１と、前記上面側開口に開閉可能に設けられた上面扉３と、前記上面扉が開扉状態において上面側開口から上方へ引き出し可能に形成された２本の支柱７と、前記二つの支柱の上端に掛け渡された支持パイプ８と、引き出された前記支柱を固定する固定手段とを備え、前記支持パイプ８が前記筐体１内に収容されると共に、前記固定手段によって前記支柱７が筐体１の外部において固定される。【選択図】  図６
2006094935.tif 000002
【特許請求の範囲】
【請求項１】
筐体の上面に設けた上面側開口と、前記上面側開口に開閉可能に設けられた上面扉と、前記上面扉が開扉状態において上面側開口から上方へ引き出し可能に形成された２本の支柱と、前記二つの支柱の上端に掛け渡された支持パイプと、引き出された前記支柱を固定する固定手段とを備え、
前記支持パイプが前記筐体内に収容されると共に、前記固定手段によって前記支柱が筐体の外部において固定されることを特徴とする洗濯物の納品・回収用搬送箱。
【請求項２】
前記上面扉の縁部には、積み重ねられた他の筐体の側面下端部が係止する段部が形成されていることを特徴とする請求項１記載の洗濯物の納品・回収用搬送箱。
【請求項３】
筐体の一側面の下端部に搬送用のローラが取付けられていることを特徴とする請求項１または請求項２記載の洗濯物の納品・回収用搬送箱。
【請求項４】
前記段部には、積み重ねられる他の筐体のローラに対応した位置に、凹部が形成されていることを特徴とする請求項２または請求項３に記載の洗濯物の納品・回収用搬送箱。
【請求項５】
筐体の前面には前記上面側開口に繋がる前面側開口が設けられ、前記前面側開口に開閉可能に前面扉が設けられていることを特徴とする請求項１乃至請求項４のいずれか記載の洗濯物の納品・回収用搬送箱。
【発明の詳細な説明】
【技術分野】
【０００１】
本発明は、洗濯された衣類などの物品を納品し、洗濯が必要となった衣類などの物品を洗濯するために回収する際の搬送業務に使用する洗濯物の納品・回収用搬送箱に関するものである。
【背景技術】
【０００２】
例えば、病院などで使用された白衣等の衣類は、クリーニング業者、リネンサプライ業者（以下、単に洗濯業者という。）により一括して回収され、洗濯された後に再び病院に納品される。この場合、洗濯業者は、洗濯の依頼を受けた大量の白衣などを籠などにまとめて回収し、籠に入れられた要洗濯物をクリーニング作業場まで運搬し、洗濯を行っている。そして、洗濯が終わった白衣等は塵埃等によって再び汚れないように、ビニール袋で包装し、包装された白衣等をハンガラックに掛けて納品している。あるいはまた、畳んだ後にビニール袋で包装し、納入先別にまとめて束ねたりあるいは箱に仕分けして入れた上で納品している。
【０００３】
このような洗濯物の回収・納品方法では、籠の中に回収された白衣等の要洗濯物が業者によって回収、運搬されるまでの間、一時的に放置される。使用済の要洗濯物が集積されることは美観を損ない、衛生上の観点からも望ましくない。また、クリーニング業者は洗濯済の物をビニール袋で包装する場合には、その手間が必要であり、洗濯済の物を受け取った使用者は、ビニール包装の洗濯物を仕分けて一次保管し、使用時にはビニール袋を破って洗濯物を取り出し、破れたビニール袋をごみ箱に棄却する手間が必要である。また、破られたビニール袋は、廃棄物として焼却等により処分することが必要である。
【０００４】
そこで、要洗濯物を遮蔽した状態で回収し、洗濯済の物をビニール包装することなく納品することができる洗濯物の納品・回収用搬送箱が提案されている。
この種の洗濯物の納品・回収用搬送箱の構造は、搬送箱の表側に洗濯された物品を取り出す物品取出口と、この物品取出口に開閉自在に設けられた扉と、搬送箱の内部に、洗濯済の衣類を吊るしたハンガを掛けるハンガ係止用パイプと、搬送箱の裏側に設けられた洗濯を必要とする衣類を投入する物品投入口とを備えることを基本構成としている。
【特許文献１】登録実用新案第３０３１６８７号公報
【特許文献２】特許第３３６６８８７号公報
【発明の開示】
【発明が解決しようとする課題】
【０００５】
このような従来の洗濯物の納品・回収用搬送箱にあっては、丈の長い衣類も収納できるように搬送箱の高さが高めに設定されている。このため、搬送箱を納品・回収する際に使用する搬送車としては、荷台の高さ方向のスペースに余裕がある大型のトラックが必要となり、小型車を用いることはできなかった。
また、搬送箱の高さが高いため、積み重ねて多くの搬送箱を一度に回収することもできず、納品・回収の効率が悪く、納品・回収コストの上昇を招いていた。
【０００６】
一方、納品・回収コストの上昇を抑えるために、搬送箱の高さを単に低く設定することも考えられるが、従来の搬送箱のままで高さを低くすると、洗濯済の衣類を出し入れする際に腰を屈める必要があるなど、利用者の使い勝手が悪くなるという問題もあった。
【０００７】
本発明はかかる課題を解決するためになされたものであり、搬送箱の高さを低く設定して、搬送車として小型車を利用でき、また積み重ねを可能として納品・回収効率を上げると共に、洗濯済の衣類の出し入れの際に利用者に負担をかけることのない洗濯物の納品・回収用搬送箱を提供するものである。
【課題を解決するための手段】
【０００８】
上記目的を達成するために、本発明の洗濯物の納品・回収用搬送箱は、筐体の上面に設けた上面側開口と、前記上面側開口に開閉可能に設けられた上面扉と、前記上面扉が開扉状態において上面側開口から上方へ引き出し可能に形成された２本の支柱と、前記二つの支柱の上端に掛け渡された支持パイプと、引き出された前記支柱を固定する固定手段とを備え、前記支持パイプが前記筐体内に収容されると共に、前記固定手段によって前記支柱が筐体の外部において固定されることを特徴としている。
【０００９】
このように構成されているため、搬送車として小型車を利用でき、また積み重ねを可能として納品・回収効率を上げることができる。
また、衣類の出し入れを行う際、固定手段によって前記支柱を筐体の外部において固定することができる。その結果、利用者にとって使い勝手が良く、肉体的負担をかけることも少ない。
【００１０】
ここで、前記上面扉の縁部には、積み重ねられた他の筐体の側面下端部が係止する段部が形成されていることが望ましい。
このように、上面扉の縁部に段部が形成されているため、積み重ねられた他の筐体は前記段部に係止され、搬送中に脱落等の事故を防止できる。
【００１１】
また、筐体の一側面の下端部に搬送用のローラが取付けられていることが望ましい。
このように、ローラが筐体の一側面の下端部に設けられているため、前記筐体をローラ側に斜めの傾けることによって地面とローラを接触させて搬送することができ、容易に搬送することができる。
【００１２】
更に、前記段部には、積み重ねられる他の筐体のローラに対応した位置に、凹部が形成されていることが望ましい。
このように凹部が形成されているため、積み重ねられる筐体のローラは前記段部と干渉することがなく、筐体の上に他の筐体を積み上げることができる。
【００１３】
また、筐体の前面には前記上面側開口に繋がる前面側開口が設けられ、前記前面側開口に開閉可能に前面扉が設けられていることが望ましい。
このように、上面側開口に繋がる前面側開口が設けられているため、広い開口部を得ることができ、丈の長い洗濯物を容易に出し入れすることができる。
【発明の効果】
【００１４】
本発明にかかる洗濯物の納品・回収用搬送箱によれば、搬送箱の高さを低く設定することにより、搬送車として小型車を利用でき、また積み重ねることにより、納品・回収効率を向上させることができる。衣類の出し入れの際に、利用者の肉体的負担を少なくすることができる。
【発明を実施するための最良の形態】
【００１５】
本発明の洗濯物の納品・回収用搬送箱の実施形態を図面を参照して説明する。
ここで、図１は洗濯物の納品・回収用搬送箱の各扉の閉扉状態における斜視図、図２は洗濯物の納品・回収用搬送箱の前面扉の開扉状態における斜視図、図３は図１の裏面側からの斜視図、図４は上面扉の構造を示す図、図５は支持パイプを上方に持ち上げる作業状態を示す斜視図、図６は支持パイプを上方に持ち上げた状態を示す斜視図、図７は支持パイプを支持する支柱の一部拡大図、図８は支持パイプを上方へ持ち上げる際の支柱のロック機構を示す説明図である。
なお、本発明の洗濯物の納品・回収用搬送箱は、以下の実施形態に何ら限定されるものではない。
【００１６】
洗濯物の納品・回収用搬送箱Ｃを構成する筐体１には、図６に示すように、衣類を出し入れする際に用いる上面から前面に繋がる開口２が設けられている。この開口２の上面側開口２１の端部にはヒンジ部２１ａ，２１ａを介して上面扉３が開閉可能に設けられている。また、前面側開口２２の下部にはヒンジ部２２ａ，２２ａを介して前面扉４が開閉可能に設けられている。
【００１７】
前記上面扉３の表面の自由端部側には、図１乃至図４に示すように、閉扉状態の上面扉３を施錠、開錠する施錠３１が設けられている。この施錠３１はつまみ部３１ａの操作により、上面扉３の裏面側の施錠突起（図示しない）と筐体１の上面側開口２１の周縁部との係脱が可能となっている。
【００１８】
また、上面扉３の縁部には、段部３２が形成され、搬送箱Ｃを積み重ねた場合に、他の筐体１の側面部が係止されるように構成されている。これにより、搬送箱Ｃを積み重ねた場合であっても、上側の搬送箱Ｃが搬送車の振動等によって脱落するのを防止することができる。
【００１９】
また、前面扉４の裏面側の両端部には、図２、図６に示すように、前面側開口２２の両端部側には設けた凸状部材２２ｂ，２２ｂに係合する凹状部材４ａ，４ａが設けられている。これにより、前面扉４を閉扉状態に係止できるようになっている。
【００２０】
さらに、筐体１の両側壁の外面には、搬送箱Ｃを搬送車に積込み、積卸しに使用する搬送用把手５，５が取付けられている。この搬送用把手５は、使用時以外は邪魔にならないように筐体１の側壁の外面に設ける凹部にねじりバネ等の弾性により収納され、使用時に洗濯業者が引き起こして用いるようになっている。
【００２１】
さらにまた、図３に示すように、筐体１の側面部下部にはローラ６，６が取付けられている。このため、筐体１を傾斜させ、ローラ６，６を地面と接触させ、前記ローラ６，６で支持、運搬することにより、搬送箱Ｃの移動を容易に行うことができる。
また、搬送箱Ｃを積み重ねた際、上段の搬送箱Ｃのローラ６，６が下段の搬送箱Ｃの段部３２に干渉するのを防止するため、前記段部３２には、積み重ねられる筐体のローラ６，６に対応した位置に、凹部３２ａ，３２ａが形成されている。
【００２２】
筐体１の内部には、図６に示すように、ハンガＨのフックＦを掛けるための支持パイプ８が掛け渡された２本の支柱７，７が設けられている。この支柱７は、図７に示すように、下端が筐体１の内側底面に固定された中空構造の四角柱からなる第１の支柱７１と、その第１の支柱の内部に摺動可能に設けられ、上端に支持パイプ８が取付けられたコ字形状の第２の支柱７２とから構成されている。
【００２３】
また、この支柱７には、第１の支柱７１に対して第２の支柱７２を摺動させて引き出し、上端に設ける支持パイプ８の位置が、筐体高さの略倍の高さで第２の支柱７２を固定する後述のロック機構Ｌを有している。
なお、前記第２の支柱７２の上端部近傍には、支持パイプ８の引き出しに用いる取手部９が設けられている。また、以上の構成からなる洗濯物の納品・回収用搬送箱Ｃは、強度等の観点から金属製であることが望ましい。
【００２４】
以下、前記支柱７のロック機構Ｌについて、図７のＡ−Ａ断面図であって、支持パイプを上方へ持ち上げる際の支柱のロック機構Ｌを示す図８を参照しながら説明する。
なお、以下に説明するロック機構Ｌは一例であり、本発明はロック機構Ｌはこれに限定されるものではない。
第１の支柱７１の上側端部及び第２の支柱７２の下側端部の近傍には、同一サイズの長方形の長穴７１ａ，７２ａが形成されている。この長穴７１ａ，７２ａは、第２の支柱７２の摺動によって連通するようになっている。
【００２５】
また、第１の支柱７１の長穴７１ａが形成される面に対向する面の端部寄りには、爪部７１ｂが形成されている。さらに、第２の支柱７２の内部には、４つの突起を有するＸ字形状のストッパ７２ｂが軸着されている。このストッパ７２ｂは、回転により突起イ，ロ，ハ，ニが前記長穴７１ａ，７２ａから突出するようになっている。
【００２６】
次に、ロック機構Ｌの動作について詳しく説明する。
まず、図８（ａ）に示すように、支持パイプ８が筐体１内に収納され筐体１の高さの略倍の高さの位置に引き上げられるまでは、ストッパ７１ｂは回転することなく、第２の支柱７２は第１の支柱７１に対して摺動する。
【００２７】
しかし、支持パイプ８が筐体１の高さの略倍の高さの位置まで引き上げられると、図８（ｂ）に示すように、第１の支柱７１の爪部７１ｂにストッパ７２ｂの突起イが当たる。この際、第１の支柱７１と第２の支柱７２の長穴７１ａ，７２ｂは重なり連通する状態となっているため、ストッパ７２ｂは軸着点を支点に回転して長穴７１ａ，７２ｂからストッパ７２ｂの突起ハが突出する。
この状態において、支持パイプ８をさらに引き上げようとしても、爪部７１ｂに突起イ及び突起ロが当接しているため、ストッパ７２ｂは回転できず、支持パイプ８の引き上げが規制されることになる。
【００２８】
支持パイプ８の引き上げが規制された後、支持パイプ８を下げると第１の支柱７１の長穴７１ａの端部にストッパ７２ｂの突起ハ及び突起ニが当接してストッパ７２ｂの回転が規制され、支持パイプ８（第２の支柱７２）が固定される。
これにより、筐体１の高さが低くても、支持パイプ８を高い位置に引き上げ固定することができる。
【００２９】
逆に、支持パイプ８を筐体１内に収納する場合には、図８（ｄ）に示すように、支持パイプ８を再び引き上げることにより、ストッパ７２ｂの突起ロが爪部７１ｂに当たりストッパ７２ｂが回転する。そして、図８（ｅ）に示すように、再び支持パイプ８を下げることにより、第１の支柱７１の長穴７１ａの端部にストッパ７２ｂの突起ニが当たりストッパ７２ｂが回転する。これにより、ストッパ７２ｂは、図８（ａ）に示す状態に戻り、支持パイプ８が下方に下がり、第２の支柱７２は第１の支柱７１の内部に収納されることになる。
【００３０】
次に、以上のように構成された洗濯物の納品・回収用搬送箱による衣類の納品ならびに回収方法を簡単に説明する。
まず、洗濯業者は、搬送箱Ｃの上面扉３の施錠５を引き起こし開錠し、上面扉３を開扉する。そして、支持パイプ８を上方に引き上げロック機構Ｌにより固定した後、洗濯済の衣服を掛けたハンガＨを支持パイプ８にフックＦを利用して掛ける。この際、丈の長い衣類の場合には、前面扉４も開扉することにより容易に掛けることができる。
【００３１】
洗濯済の衣類を掛け終わった後、支持パイプ８を搬送箱Ｃ内に下げることになるが、丈の長い衣服の場合には、搬送箱Ｃの内底面に直接接触して汚れなどが付着し、衛生上好ましくない。
このため、図５及び図６に示すように、帯状の布，ビニールなどからなる保護シートＳの両端にそれぞれハンガＨを取り付け、これらのハンガＨで洗濯済の衣類が掛けられたハンガＨを挟み、洗濯済の衣類の下部を帯状の前記保護シートＳで覆うようにする。
これにより、搬送箱Ｃの内底面に洗濯済の衣類が接触して汚れなどが付着することを防止でき、衛生的である。
以上の作業が完了した後、前記ロック機構を解除し、前記支持パイプ８を下げ、搬送箱内に収納し、上面扉３及び前面扉４を閉扉することにより、納品が可能な状態となる。
【００３２】
また、納品された洗濯済みの衣類を搬送箱から取り出すには、まず搬送箱Ｃの上面扉３の施錠５を引き起こし開錠し、上面扉３を開扉する。そして、支持パイプ８を上方に引き上げロック機構Ｌにより固定し、支持パイプ８に掛けられた洗濯済の衣服を取り出す。
この際、丈の長い衣類の場合には、前面扉４も開扉することにより、洗濯済みの衣類を容易に取り出すことができる。
【００３３】
次に、使用済の衣類を回収する場合は、図２に示すように、前扉４を開扉状態として、該開口から使用済み衣類を投入する。また、前記したように前扉４側からではなく、搬送箱の上面扉３の施錠５を引き起こし開錠し、上面扉３を開扉して使用済の衣類を搬送箱Ｃに入れても良い。更に、前扉４側および上面扉３側の両方から投入しても良い。
なお、従来よりも搬送箱Ｃの高さが低いため、前面扉４から衣類を入れる場合に比べ、上面扉３から衣類を入れる方が利用者の使い勝手が良い。
【００３４】
また、搬送箱Ｃの運搬に際しては、該搬送箱を斜めにし、側壁下端部に設けたローラ６，６を利用することにより、移動が容易に行える。また、搬送用把手５によって、搬送車への積上げ、積下ろしも容易に行うことができる。
さらに、搬送箱Ｃの高さを低くしたため、搬送車として小型車でも十分に搬送することができ、また、大型のトラックを利用する場合には、搬送箱Ｃを積み重ねて用いることにより納品・回収の効率も上がる。
【００３５】
尚、上記実施形態にあっては、支持パイプ８の固定位置を、筐体高さの略倍の高さとした場合について説明したが、支持パイプ８が筐体の外部位置で固定できれば良く、特に筐体高さの略倍の高さに限定されるものではない。
【産業上の利用可能性】
【００３６】
以上の説明においては、洗濯物の納品・回収用搬送箱として、その納品・回収の対象として衣類を例に挙げて説明したが、シーツ、カーテンなどの納品・回収にも用いることができる。なお、シーツ、カーテンなどの納品の際には、支持パイプにこれらを直接掛け、又は、ハンガを利用し掛けても良い。
【図面の簡単な説明】
【００３７】
【図１】図１は、洗濯物の納品・回収用搬送箱の各扉の閉扉状態における斜視図である。
【図２】図２は、洗濯物の納品・回収用搬送箱の前面扉の開扉状態における斜視図である。
【図３】図３は、図１の裏面側からの斜視図である。
【図４】図４は、上面扉の構造を示す図である。
【図５】図５は、支持パイプを上方に持ち上げる作業状態を示す斜視図である。
【図６】図６は、支持パイプを上方に持ち上げた状態を示す斜視図である。
【図７】図７は、支持パイプを支持する支柱の一部拡大図である。
【図８】図８は、支持パイプを上方へ持ち上げる際の支柱のロック機構を示す説明図である。
【符号の説明】
【００３８】
Ｃ      搬送箱
Ｈ      ハンガ
Ｆ      フック
１      筐体
２      開口
２ａ    上面開口
２ｂ    前面開口
３      上面扉
４      前面扉
５      搬送用把手
６      ローラ
７      支柱
７１    第１の支柱
７１ａ  長穴
７１ｂ  爪部
７２    第２の支柱
７２ａ  長穴
７２ｂ  ストッパ
８      支持パイプ
９      取手部
【図１】
2006094935.tif 000003
【図２】
2006094935.tif 000004
【図３】
2006094935.tif 000005
【図４】
2006094935.tif 000006
【図５】
2006094935.tif 000007
【図６】
2006094935.tif 000008
【図７】
2006094935.tif 000009
【図８】
2006094935.tif 000010